(57)【特許請求の範囲】
【請求項１】
第１の筐体と、
前記第１の筐体と第１の軸を回動中心にした相対的な回動が可能なように、前記第１の筐体と連結された第２の筐体と、
前記第１の筐体に設けられた磁場発生部材と、
前記第１の軸の近傍に配置された磁場検知手段と、
前記第２の筐体に設けられた第２の磁場検知手段と、
前記磁場検知手段による検知結果に基づいて、前記第１の筐体と前記第２の筐体との前記第１の軸を回動中心にした回動状態を判別する判別手段を有し、
前記第２の筐体は、前記第１の筐体に対して前記第１の軸に直交する第２の軸を回動中心にした相対的な回動が可能なように前記第１の筐体に連結されていて、
前記判別手段は、前記第２の磁場検知手段による検知結果に基づいて、前記第１の筐体と前記第２の筐体との前記第２の軸を回動中心にした回動状態を判別し、
前記第１の筐体と前記第２の筐体とを前記第１の軸を回動中心にして相対的に回動させると前記磁場検知手段が回動して、前記磁場発生部材に対する前記磁場検知手段によって検知可能な磁場の方向が変化し、
前記第１の筐体と前記第２の筐体とを前記第２の軸を回動中心にして相対的に回動させても前記磁場発生部材に対する前記磁場検知手段によって検知可能な磁場の方向が変化せず、
前記第１の筐体と前記第２の筐体との前記第２の軸を回動中心にした回動状態によらず、前記第１の筐体と前記第２の筐体との前記第１の軸を回動中心にした回動状態に応じて前記第２の磁場検知手段の検知結果が変化しないことを特徴とする電子機器。
【請求項２】
前記磁場検知手段は、前記第１の筐体と前記第２の筐体との前記第１の軸を回動中心にして相対的な回動に伴って前記第１の軸を回動中心にして回動する部材に設けられていて、
前記部材が前記第１の軸を回動中心にして回動することで前記磁場発生部材に対する前記磁場検知手段によって検知可能な磁場の方向が変化することを特徴とする請求項１に記載の電子機器。
【請求項３】
前記磁場検知手段は、前記第１の軸と略垂直な方向の磁場を検知することを特徴とする請求項１または２に記載の電子機器。
【請求項４】
前記磁場検知手段は、前記磁場発生部材に対する検知可能な磁場の方向の変化に応じて異なる検知結果を出力することを特徴とする請求項１ないし３のいずれか１項に記載の電子機器。
【請求項５】
前記第２の磁場検知手段は、前記第１の筐体と前記第２の筐体との前記第２の軸を回動中心にした回動状態に応じて異なる検知結果を出力することを特徴とする請求項１ないし４のいずれか１項に記載の電子機器。
【請求項６】
前記第１の筐体は本体筐体であり、前記第２の筐体は画像表示部が設けられた表示部筐体であることを特徴とする請求項１ないし５いずれか１項に記載の電子機器。
【請求項７】
前記磁場発生部材は、前記第２の筐体との連結部分の近傍に配置されたスピーカーであることを特徴とする請求項１ないし６のいずれか１項に記載の電子機器。
【請求項８】
前記磁場検知手段は、前記第１の軸と一致する位置に配置されることを特徴とする請求項１ないし７のいずれか１項に記載の電子機器。
【発明の詳細な説明】
【技術分野】
【０００１】
本発明は、ヒンジ機構により第１の筐体と第２の筐体とを開閉可能に支持する電子機器に関し、特に磁場を用いて第１の筐体及び第２の筐体の開閉を検出する構成に関する。
【背景技術】
【０００２】
従来より、デジタルカメラやビデオカメラのような電子機器において、ヒンジ機構によって機器本体に回動可能に取り付けられた画像表示部を備えた、いわゆるバリアングル型の画像表示部を有した電子機器が普及している。例えば、バリアングル型の画像表示部を有した撮像装置では、ハイアングルやローアングルでも被写体を確認しながら撮影ができるように、画像表示部を横に開いた状態であらゆる角度に回転が可能であり、表示部を回転させることで自分撮りも行うことができる。特許文献１には、画像表示部を備えた表示部筐体と、撮像部を備えた本体筐体と、それぞれを連結するヒンジ部とを備え、ヒンジ部が表示筐体と本体筐体とを開閉および回転可能に連結した２軸ヒンジであるデジタルカメラが記載されている。
【０００３】
このような、２軸ヒンジのヒンジ部で連結されたデジタルカメラの表示部筐体は、本体筐体に対するヒンジによる開閉および回転状態によって、４パターンの使用状態が存在し、この４つの状態に合わせて撮影者の使い勝手を考慮し、液晶の表示を切り替えている。
【０００４】
具体的には、このデジタルカメラの本体筐体には、表示部筐体を閉じた状態で収納する収納部が設けられており、まず第１の状態として、表示部筐体の表示パネル面を撮影者側に向けた状態で表示部筐体を本体筐体側に閉じ収納部に収めた状態が存在する。この第１の状態では表示パネルには被写体画像が表示される。
【０００５】
次に第２の状態として、表示パネル面を本体筐体側に向けた状態で表示部筐体を本体筐体側に閉じ収納部に収めた状態が存在する。この第２の状態では表示パネルに画像を表示させる必要が無いので、省電力のために表示パネルに画像の表示を行わないように制御を行う。
【０００６】
次に第３の状態として、表示部筐体を本体筐体に対して開いた状態で表示パネル面を撮影者側へ向けた状態が存在する。この第３の状態では、第１の状態に対して表示パネル面は１８０度回転した状態で撮影者側を向くことになるので、カメラは表示パネルに表示させる画像を第１の状態に対して上下及び左右を反転させた状態で表示するように制御を行う。
【０００７】
最後に第４の状態として、表示部筐体を本体筐体に対して開いた状態で表示パネル面を被写体側へ向けた状態が存在する。この第４の状態では、自分撮りを行うことを想定しており、そのための使い勝手を考慮して、被写体に対して自分が鏡に映ったような姿を表示パネルに表示するようにしている。そのため、この第４の状態では第１の状態に対して左右を反転させた画像を表示するように制御を行う。
【０００８】
このように、カメラは表示部筐体と本体筐体のヒンジの開閉および回転状態による４パターンの使用状態に応じた制御を行うために、この４パターンの状態を検知する必要がある。そのために特許文献２に記載された撮像装置では、ヒンジの開閉および回転を行うそれぞれの回動軸に軸の回転を検出可能なように、検出スイッチをそれぞれ設け、この２つの検出スイッチの出力の組み合わせによって４パターンの状態の検知を行っている。
【先行技術文献】
【特許文献】
【０００９】
【特許文献１】特開２００３−６０９４２号公報
【特許文献２】特開２００３−８６９６５号公報
【発明の概要】
【発明が解決しようとする課題】
【００１０】
しかしながら、特許文献２に記載されたヒンジの状態検知方法においては、ヒンジの回動軸周りに検出スイッチを配置するスペースが必要なため、ヒンジを小型化する上での障害となっていた。また同時に、ヒンジ軸周りの検出スイッチと本体筐体内の回路基板との電気的な接続を行う必要がある。そのため、表示部筐体と本体筐体の接続を行うための両端にコネクタを有した複数のケーブルからなるワイヤーハーネスから一部のケーブルを分岐させ、検出スイッチの実装されている基板や検出スイッチに、分岐させたケーブルをはんだ付けして接続を行っていた。このため、ワイヤーハーネスの一部のケーブルを分岐させる必要があり、両端のコネクタに全ケーブルが結線されている場合に比べて、ワイヤーハーネスの加工コストが高くなってしまうという問題があった。また、ヒンジ内部でケーブルと基板または検出スイッチとのはんだ付けが存在するため、組立て性が悪いと共に、はんだ付け部のはんだ不良の問題や、ケーブルの引き回しが複雑になるなどの問題も生じていた。なお、上記のような問題は、表示部筐体と本体筐体とを連結するヒンジ部が１軸ヒンジであって、開閉動作のみが可能な構成であっても同様に生じるものである。
【００１１】
そこで、本発明は、ヒンジ機構により第１の筐体と第２の筐体とを開閉可能に支持する電子機器において、ヒンジ機構の回動軸周りに大きなスペースを必要とせずに第１の筐体及び第２の筐体の状態を検知できるようにすることを目的とする。
【課題を解決するための手段】
【００１２】
上記目的を達成するために、本発明にかかる電子機器は、第１の筐体と、前記第１の筐体と第１の軸を回動中心にした相対的な回動が可能なように、前記第１の筐体と連結された第２の筐体と、前記第１の筐体に設けられた磁場発生部材と、前記第１の軸の近傍に配置された磁場検知手段と、前記第２の筐体に設けられた第２の磁場検知手段と、前記磁場検知手段による検知結果に基づいて、前記第１の筐体と前記第２の筐体との前記第１の軸を回動中心にした回動状態を判別する判別手段を有し、前記第２の筐体は、前記第１の筐体に対して前記第１の軸に直交する第２の軸を回動中心にした相対的な回動が可能なように前記第１の筐体に連結されていて、前記判別手段は、前記第２の磁場検知手段による検知結果に基づいて、前記第１の筐体と前記第２の筐体との前記第２の軸を回動中心にした回動状態を判別し、前記第１の筐体と前記第２の筐体とを前記第１の軸を回動中心にして相対的に回動させると前記磁場検知手段が回動して、前記磁場発生部材に対する前記磁場検知手段によって検知可能な磁場の方向が変化し、前記第１の筐体と前記第２の筐体とを前記第２の軸を回動中心にして相対的に回動させても前記磁場発生部材に対する前記磁場検知手段によって検知可能な磁場の方向が変化せず、前記第１の筐体と前記第２の筐体との前記第２の軸を回動中心にした回動状態によらず、前記第１の筐体と前記第２の筐体との前記第１の軸を回動中心にした回動状態に応じて前記第２の磁場検知手段の検知結果が変化しないことを特徴とする。
【発明の効果】
【００１３】
本発明によれば、ヒンジ機構により第１の筐体と第２の筐体とを開閉可能に支持する電子機器において、ヒンジ機構の回動軸周りに大きなスペースを必要とせずに第１の筐体及び第２の筐体の状態を検知できる。
【図面の簡単な説明】
【００１４】
【図１】本発明にかかる実施の形態である撮像装置を示した外観斜視図。
【図２】本発明にかかる実施の形態である撮像装置の表示部筐体の状態の遷移を示した図。
【図３】本発明にかかる実施の形態である撮像装置のヒンジ部の内部構造を示す図。
【図４】開閉検知を行う磁場センサおよび回転検知を行う磁場センサが検出する磁場の方向を表す図。
【図５】本発明にかかる実施の形態である撮像装置のスピーカーが発生する磁力線の向きと、開閉検知磁場センサおよび回転検知磁場センサの相対位置関係を表す図。
【図６】本発明にかかる実施の形態である撮像装置の表示部筐体を、本体筐体に対して１８０度開いて表示面が下向きとなるように９０度回転させた状態でのヒンジ部の内部構造を示す図。
【図７】本発明にかかる実施の形態である撮像装置の表示部筐体の状態による開閉検知磁場センサおよび回転検知磁場センサの出力信号を示す図。
【発明を実施するための形態】
【００１５】
以下に本発明の好ましい実施の形態を添付の図面に基づいて詳細に説明する。
【００１６】
図１は、本実施の形態における撮像装置（デジタルカメラ）の一構成例を示した外観斜視図であり、図１（ａ）は前面側から見た外観斜視図、図１（ｂ）は背面側から見た外観斜視図である。
【００１７】
デジタルカメラ１は、表示パネル５を有する表示部筐体２（第２の筐体）と、カメラ本体側の本体筐体３（第１の筐体）と、表示部筐体２と本体筐体３を連結するヒンジ部４からなる。ヒンジ部４はいわゆる２軸ヒンジ機構を有しており、表示部筐体２が本体筐体３に対して開閉及び回転可能に支持されている。なお、本実施の形態では、本体筐体３に対する表示部筐体２の動きを開閉動作及び回転動作としているが、表示部筐体２及び本体筐体３のどちらを基準にしてもよく、表示部筐体２と本体筐体３とが相対的に開閉及び回転していればよい。
【００１８】
本体筐体３と表示部筐体２とがヒンジ部４によって連結されていることで、撮影者は撮影を行う体勢に応じて表示部筐体２の本体筐体３に対する角度を自由に変えることができ、ハイアングルやローアングルでも被写体を確認しながら撮影を行うことができる。本体筐体３のヒンジ部４側の側面であってヒンジ部４の近傍には、内部にスピーカー１９が配置されており、スピーカー１９の音を外部へ導くための音孔６が設けられている。
【００１９】
図２は、デジタルカメラ１における表示部筐体２の状態の遷移の一例を示した斜視図である。デジタルカメラ１の本体筐体３には、表示部筐体２を閉じた状態で収納する収納部７が設けられており、図２（ａ）は、表示パネル５の表示面を撮影者側（外側）に向けた状態で表示部筐体２を本体筐体３側に閉じ収納部７に収めた通常撮影状態を示す図である。この状態では、本体筐体に対して開閉及び回転可能な表示部を持たない一般的なデジタルカメラと同じ使い方をする場合に適している。撮影時に表示パネル５には被写体画像が表示される。
【００２０】
図２（ｂ）は、表示パネル５の表示面を本体筐体３側（内側）に向けた状態で表示部筐体２を本体筐体３側に閉じた収納状態を示す図である。この状態では、表示パネル５がデジタルカメラ１の外側に露出しないので表示面を傷つけることが無く、カメラを使用しないときなどに表示パネル５の表示面を保護したい場合に適している。なお、この状態ではカメラの電源がオン状態のときでも表示パネル５に画像を表示させる必要が無いので、省電力のために表示パネル５に画像の表示を行わないように制御を行う。
【００２１】
図２（ｃ）は表示部筐体２を本体筐体３に対して開いた状態で表示パネル５の表示面を撮影者側へ向けた状態を示す図であり、撮影者がカメラアングルに応じて表示部筐体２の本体筐体３に対する角度を自由に変えられるため、様々な状況に適している。この状態では、通常撮影状態に対して表示面は１８０度回転した状態で撮影者側を向くことになるので、表示面に表示させる画像を通常撮影状態に対して上下及び左右を反転させた状態で表示するように制御を行う。
【００２２】
図２（ｄ）は表示部筐体２を本体筐体３に対して開いた状態で表示パネル５の表示面を被写体側へ向けた自分撮り撮影状態を示す図であり、被写体側から表示面を確認しながら撮影することができるため、自分撮りやセルフタイマー撮影などを行う際に適している。この状態では、自分撮りを行うことを想定しているので、そのための使い勝手を考慮して、被写体に対して自分が鏡に映ったような姿を表示パネルに表示するようにしている。そのため、カメラはこの状態では通常撮影状態に対して左右が反転された画像を表示するように制御を行う。
【００２３】
次に、図２で示した表示部筐体２の４つの状態を検知する方法について説明を行う。
まず、ヒンジ部４の内部構造の説明を行う。図３はデジタルカメラ１のヒンジ部４の内部構造を示す透視図である。なお、図３に示した状態は図２（ｂ）に示した状態に対応している。
【００２４】
表示部筐体２の内部には、画像表示部としての表示パネルユニット８および表示部回路基板９が配置されている。表示部回路基板９にはヒンジ部４の回転動作、すなわち、本体筐体３に対する表示部筐体２の回転状態の検知を行うための回転検知磁場センサ１０が実装されている。表示部回路基板９は表示パネルユニット８背面部に固定されている。
【００２５】
ヒンジ部４の内部には、ヒンジユニット１１が配置されており、表示部筐体２と本体筐体３とを連結している。ヒンジユニット１１は、本体筐体３に対して表示部筐体２を開閉および回転可能に支持している２軸ヒンジ機構であって、開閉を行うための開閉軸部１２ａ、１２ｂ及び回転を行うための回転軸部１３を有している。なお、開閉を行うための開閉軸２０と回転を行うための回転軸２１とは互いに直交している。また、開閉軸部１２ａおよび回転軸部１３は、表示部筐体２側と本体筐体３側を電気的につなぐ図示しないワイヤーハーネスを通すために中空構造となっている。
【００２６】
ヒンジユニット１１は、ヒンジベースプレート１４、ヒンジ開閉プレート１５及びヒンジ回転プレート１６を有している。ヒンジベースプレート１４は本体筐体３に固定されていて、ヒンジ開閉プレート１５はヒンジベースプレート１４に対して開閉軸部１２ａ、１２ｂにより回動可能に連結されている。
【００２７】
さらに、ヒンジ回転プレート１６は、ヒンジ開閉プレート１５に対して回転軸部１３により回動可能に連結され、表示部筐体２に固定されている。このようなヒンジユニット１１の構成により、表示部筐体２を本体筐体３に対して開閉および回転可能に支持している。
【００２８】
また、ヒンジユニット１１には、開閉軸部１２ｂの上部に開閉軸２０と交わるようにヒンジ部回路基板１７が配置されている。ヒンジ部回路基板１７には、ヒンジ部４の開閉動作、すなわち、本体筐体３に対する表示部筐体２の開閉状態の検知を行うための開閉検知磁場センサ１８が開閉軸２０上に実装されている。ヒンジ部回路基板１７は、ヒンジ開閉プレート１５に対して直接または部品を介して固定されており、表示部筐体２の開閉動作時に、ヒンジ開閉プレート１５と相対的に固定された状態で開閉軸２０を回転中心にして回動する。ここで、本実施の形態では、開閉検知磁場センサ１８は開閉軸２０と一致する位置に配置しているが、開閉軸２０の近傍であればよい。
【００２９】
本体筐体３の内部には、ヒンジユニット１１の開閉軸部１２ｂの近傍にスピーカー１９が発音面を本体側面の音孔６に向くように配置されている。スピーカー１９は、内部にマグネットを有し、コイルとマグネットにより振動板を駆動して音を発生するタイプのスピーカーである。
【００３０】
次に、開閉検知磁場センサ１８（第１の磁場検知センサ）および回転検知磁場センサ１０（第２の磁場検知センサ）による本体筐体３に対する表示部筐体２の開閉状態及び回転状態の検知の方法について説明を行う。
【００３１】
図４（ａ）、図４（ｂ）は開閉検知磁場センサ１８および回転検知磁場センサ１０が検知する磁場の方向を表す図である。図４（ａ）では、開閉検知磁場センサ１８に対する検知可能な磁場の方向２２ａを示し、図４（ｂ）では、回転検知磁場センサ１０に対する検知可能な磁場の方向２２ｂを示してある。素子には１ピンマーク２３がマーキングされている。図４（ａ）、図４（ｂ）からわかるように、開閉検知磁場センサ１８及び回転検知磁場センサ１０はそれぞれ所定方向の磁場のみを検知可能である。
【００３２】
図４（ａ）に示したとおり、開閉検知磁場センサ１８が検知する磁場の方向は、実装された基板面に略平行で、部品の対向する電極間に垂直かつ１ピン側からの方向である。すなわち、開閉検知磁場センサ１８が検知する磁場の方向は開閉軸２０に略垂直な方向である。
【００３３】
また、図４（ｂ）に示したとおり、回転検知磁場センサ１０が検知する磁場の方向は、実装された基板面に略垂直で、部品裏面側から表面側への方向である。すなわち、回転検知磁場センサ１０が検知する磁場の方向は回転軸２１に略平行な方向である。
【００３４】
磁場検知を行う各磁場センサは所定の磁束密度を越える磁場によって電圧レベルがＬＯＷレベルとなる信号を出力し、所定の磁束密度以下となるとＨＩＧＨレベルとなる信号を出力する。デジタルカメラ１は不図示のＣＰＵによって各磁場センサの検知結果である出力信号レベルを読み取って、本体筐体３に対する表示部筐体２の開閉状態及び回転状態の判別を行っている。
【００３５】
図５は、表示部筐体２の開閉動作時の、スピーカー１９が発生する磁力線の向きと、開閉検知磁場センサ１８および回転検知磁場センサ１０の相対位置関係を表すデジタルカメラ１の上面から見た透視図である。
【００３６】
開閉検知磁場センサ１８および回転検知磁場センサ１０は、開閉軸２０と略垂直でスピーカー１９の略中心を通る平面上に配置されていて、図５（ａ）ないし（ｃ）に示したスピーカー１９からの磁力線は、この平面上での磁力線を示したものである。また、図５（ａ）ないし（ｃ）では、表示部筐体２の各状態での開閉検知磁場センサ１８および回転検知磁場センサ１０の磁場検知結果を表してある。
【００３７】
図５（ａ）は、表示パネル５の表示面を内側に向けた状態で表示部筐体２を本体筐体３側に閉じた収納状態である。この状態でのスピーカー１９からの磁力線と開閉検知磁場センサ１８および回転検知磁場センサ１０の相対位置関係は図に示したとおりであり、スピーカー１９からの磁力線は開閉検知磁場センサ１８および回転検知磁場センサ１０の両方で検出可能な方向となる。つまり、各磁場センサはともにＬＯＷレベルの信号を出力する。
【００３８】
図５（ｂ）は、収納状態から表示部筐体２を９０度開いた状態である。この状態では開閉検知磁場センサ１８は表示部筐体２の開閉動作に伴う回動により開閉軸上で９０度回転した状態となり、スピーカー１９からの磁力線と交わる角度が変化し、開閉検知磁場センサ１８でスピーカー１９から生じる磁場を検知できなくなる。
【００３９】
一方、回転検知磁場センサ１０は表示部筐体２とともに開閉軸を中心に９０度回転した位置となるが、スピーカー１９からの磁力線が交わる角度は収納撮影状態のときと変化しないため、変わらず磁場の検知が可能である。つまり、開閉検知磁場センサ１８はＨＩＧＨレベル、回転検知磁場センサ１０はＬＯＷレベルの信号を出力する。
【００４０】
図５（ｃ）は、図５（ｂ）の状態から表示部筐体２を更に９０度回転させ、収納状態に対して１８０度表示部筐体２を開いた状態を示す。これは、表示部筐体２を開いて表示面を撮影者側に向けた図２（ｃ）に示した状態に対応している。この状態で、開閉検知磁場センサ１８は収納状態に対して開閉軸２０上で１８０度回転した状態となり、スピーカー１９から生じる磁場を検知できないままである。
【００４１】
一方、回転検知磁場センサ１０は表示部筐体２とともに開閉軸２０を中心にさらに９０度回転した位置となるが、この状態でもスピーカー１９からの磁力線が交わる角度は収納状態のときと変化しないため、変わらず磁場の検知が可能である。つまり、図５（ｂ）と同様に、開閉検知磁場センサ１８はＨＩＧＨレベル、回転検知磁場センサ１０はＬＯＷレベルの信号を出力する。
【００４２】
以上、表示部筐体２の開閉動作時の各磁場センサの検知動作の説明を行った。説明のとおり、表示部筐体２の開閉動作に伴い開閉検知磁場センサ１８がスピーカー１９から生じる磁場を検知できる状態とできない状態に変化することにより、閉状態とそれ以外の状態を検知することを可能にしている。一方、回転検知磁場センサ１０とスピーカー１９による磁力線の交わる角度はこの間変化しないため、回転検知磁場センサ１０の検知結果は変化しない。
【００４３】
次に表示部筐体２の回転動作の検知について説明を行う。図６は、図２（ｃ）に示した状態から表示面が下向きとなるように表示部筐体２を回転軸２１を回転中心にして９０度回転させた状態でのヒンジ部４の内部構造を示す透視図である。
【００４４】
収納状態から図２（ｃ）に示す状態までは、回転検知磁場センサ１０はスピーカー１９からの磁場を検知可能である。一方、図６に示した状態では、表示部筐体２を回転させることでスピーカー１９から回転検知磁場センサ１０は遠ざかり、回転検知磁場センサ１０の位置における磁束密度が所定の磁束密度を下回る。
【００４５】
なお、図６は、本体筐体３に対する表示部筐体２の開閉角度が９０度の状態であるが、表示部筐体２がどの開閉角度であっても同様である。つまり、回転検知磁場センサ１０の信号出力は、収納状態から図２（ｃ）に示した状態までは磁場検知状態であるＬＯＷレベルの信号を出力していたが、そこから表示部筐体２を回転させた状態では、磁場非検知状態であるＨＩＧＨレベルの信号を出力する。
【００４６】
以上のように、表示部筐体２の開閉状態によらず、回転検知磁場センサ１０によって表示部筐体２の回転状態の検知を行うことが可能である。
【００４７】
以上、本体筐体３に対する表示部筐体２の開閉状態および回転状態をデジタルカメラ１が判別する方法について説明を行った。ここで、開閉検知磁場センサ１８と回転検知磁場センサ１０の信号出力の組み合わせをまとめると、図７に示したとおりとなる。
【００４８】
図７に示すように、開閉検知磁場センサ１８は、本体筐体３に対する表示部筐体２の開閉動作に応じて出力する検知結果が異なり、本体筐体３に対する表示部筐体２の回転動作では出力する検知結果が変化しない。一方、回転検知磁場センサ１０は、本体筐体３に対する表示部筐体２の開閉動作では出力する検知結果が変化しないが、本体筐体３に対する表示部筐体２の回転動作に応じて出力する検知結果が異なる。
【００４９】
図７に示した各センサの信号出力の組み合わせにより、デジタルカメラ１の不図示のＣＰＵは本体筐体３に対する表示部筐体２の開閉状態および回転状態による４つの使用状態を判別することができる。そして、判別した表示部筐体２の状態に応じて表示パネル５への画像表示を適切に制御することができる。
【００５０】
以上説明したとおり、ヒンジ内に検知スイッチまたはセンサを配置する必要が無いので、ヒンジを小径化することができる。また、ヒンジ内に検知スイッチまたはセンサのための基板を配置する必要が無く、電気的な接続のためにヒンジを通すワイヤーハーネスの一部のリード線をはんだ付けする必要が無いので、ワイヤーハーネスの加工が簡単になり、コストを抑えることができる。また、はんだ不良などの心配が無く信頼性も向上させることができる。
【００５１】
また、開閉検知及び回転検知に用いる磁場発生部材としてスピーカーの代わりに専用のマグネットを設けてもよい。ただし、開閉検知及び回転検知に用いる磁場発生部材としてスピーカーを利用することで、磁場センサを２個を用いるだけで特別に磁場検知のための専用マグネットを設ける必要がなくなる。そのため、コストを抑えることができるとともに、専用マグネットを配置するためのスペースも必要なくなる。
【００５２】
以上、本発明の好ましい実施形態について説明したが、本発明はこれらの実施形態に限定されず、その要旨の範囲内で種々の変形及び変更が可能である。例えば、ヒンジ機構により第１の筐体と第２の筐体とを開閉可能に支持する電子機器にであって、磁場を用いて第１の筐体及び第２の筐体の開閉検出を行う電子機器であれば、上述した撮像装置以外の電子機器でも適用できる。
【００５３】
また、開閉検知及び回転検知に用いる磁場発生部材はスピーカーに限定されるものではなく、本体筐体内のヒンジ部近傍に配置可能で磁場を発生する部材であればその他の部材であってもよい。
【符号の説明】
【００５４】
１  デジタルカメラ
２  表示部筐体
３  本体筐体
４  ヒンジ部
１０  回転検知磁場センサ
１１  ヒンジユニット
１８  開閉検知磁場センサ
１９  スピーカー
２０  開閉軸
２１  回転軸
【図１】
0005641890.tif 000002
【図２】
0005641890.tif 000003
【図３】
0005641890.tif 000004
【図４】
0005641890.tif 000005
【図５】
0005641890.tif 000006
【図６】
0005641890.tif 000007
【図７】
0005641890.tif 000008